(57)【要約】      （修正有）【課題】検体が注入された状態で検査装置内に配置され、検体から生体情報を検出する検体検査チップに関するものであり、検査を安定化させることを目的とする。【解決手段】検体を注入する注入口と、この注入口から注入された検体を保持する保持チャンバと、保持チャンバから流入される検体が分岐して流れる複数の流路４と、複数の流路４を介してそれぞれ流入される検体と、内部に保持された試薬とを反応させる複数の測定チャンバ５と、複数の流路４に設けた閉止部６に充填された温度溶融剤と、を備え、閉止部６には、流路と交差する方向に溜まり部７を設ける構成とした。【選択図】図２
2014092422.tif 000002
【特許請求の範囲】
【請求項１】
検体を注入する注入口と、
前記注入口から注入された検体を保持する保持チャンバと、
前記保持チャンバから流入される検体が分岐して流れる複数の流路と、
前記複数の流路を介してそれぞれ流入される検体と、内部に保持された試薬とを反応させる複数の測定チャンバと、
前記複数の流路に設けた閉止部に充填された温度溶融剤と、を備え、
前記閉止部には、前記流路と交差する方向に溜まり部を設けた
ことを特徴とする検体検査チップ。
【請求項２】
前記閉止部における流路の軸心部分には分岐部を設けたことを特徴とする請求項１に記載の検体検査チップ。
【請求項３】
前記分岐部は、閉止部の内面から流路の軸心に向けて突出する突起によって形成したことを特徴とする請求項２に記載の検体検査チップ。
【発明の詳細な説明】
【技術分野】
【０００１】
本発明は、検体検査チップに関するものであり、特に、血液のような検体が注入された状態で検査装置内に配置され、検体から生体情報を検出する検体検査チップに関するものである。
【背景技術】
【０００２】
従来、上記のように用いられる検体検査チップとしては、検体を注入する注入口と、前記注入口から注入された検体を保持する保持チャンバと、前記保持チャンバから流入される検体が分岐して流れる複数の流路と、前記複数の流路を介してそれぞれ流入される検体と、内部に保持された試薬とを反応させる複数の測定チャンバと、前記複数の流路に設けた閉止部に充填された温度溶融剤と、を備えていた（例えば、特許文献１）。
【先行技術文献】
【特許文献】
【０００３】
【特許文献１】国際公開第２００８／１０６７１９
【発明の概要】
【発明が解決しようとする課題】
【０００４】
上記の従来例における課題は、その検体検査チップを用いると、検査が不安定になることであった。
【０００５】
すなわち、このような検体検査チップは、検査装置内に配置され、回転駆動することで保持チャンバに注入された検体を、遠心力を利用して複数の流路を介して測定チャンバに供給し、この測定チャンバで試薬と反応させ、これによって検体の検査を行うようになっている。
【０００６】
そして、このような検査時において、上記流路の閉止部に設けた温度溶融剤は、加熱によって溶融し、その結果として上述のごとく、保持チャンバに注入された検体が、遠心力によって複数の流路を介し、測定チャンバに供給され、この測定チャンバで試薬と反応され、これによって検体の検査を行うことができるようになっているのである。
【０００７】
このような、検体検査チップにおいて、上記流路に塗布されるワックスのような温度溶融剤は、検体検査チップが所定の温度に達した際に、迅速に溶け始めることが求められるため、その塗布量は極めて少量のものとなっている。
【０００８】
しかしながら、このように少量の温度溶融剤によって、流路の閉止部を閉止状態としていると、この検体検査チップが回転駆動される際に、その遠心力を受けて測定チャンバ側に移動し、その結果として、一部の測定チャンバのみに検体が先に流れ込み、これにより検査が不安定になる。
【０００９】
そこで、本発明は、検体検査チップを用いる検査を安定化させることを目的とする。
【課題を解決するための手段】
【００１０】
上記の課題を解決するために、本発明における検体検査チップは、検体を注入する注入口と、前記注入口から注入された検体を保持する保持チャンバと、前記保持チャンバから流入される検体が分岐して流れる複数の流路と、前記複数の流路を介してそれぞれ流入される検体と、内部に保持された試薬とを反応させる複数の測定チャンバと、前記複数の流
路に設けた閉止部に充填された温度溶融剤と、を備え、前記閉止部には、前記流路と交差する方向に溜まり部を設けたことを特徴としており、これにより所期の目的を達成するものである。
【発明の効果】
【００１１】
以上のように本発明における検体検査チップは、検体を注入する注入口と、前記注入口から注入された検体を保持する保持チャンバと、前記保持チャンバから流入される検体が分岐して流れる複数の流路と、前記複数の流路を介してそれぞれ流入される検体と、内部に保持された試薬とを反応させる複数の測定チャンバと、前記複数の流路に設けた閉止部に充填された温度溶融剤と、を備え、前記閉止部には、前記流路と交差する方向に溜まり部を設けたので、この検体検査チップを用いる検査を安定化させることができる。
【００１２】
すなわち、本発明においては、前記閉止部には、前記流路と交差する方向に溜まり部を設けたので、この検体検査チップに遠心力が加わったとしても、温度溶融剤は前記流路と交差する方向に設けた溜まり部に、いわゆる引っかかった状態となり、その結果として、温度溶融剤が不用意に測定チャンバ側に流れ込むことは無くなり、これにより、各測定チャンバに流入する検体の流入タイミングがほぼ一定となり、結論として、この検体検査チップを用いる検査を安定化させることができるのである。
【図面の簡単な説明】
【００１３】
【図１】本発明の実施の形態１における検体検査チップの構成図
【図２】（ａ）は、本発明の実施の形態１における検体検査チップの閉止部近傍の拡大図（ｂ）（ｃ）（ｄ）は、それぞれ本発明の他の実施の形態を示す拡大図
【図３】本発明の実施の形態１における検体検査チップ及び生体化学分析装置の概観図
【発明を実施するための形態】
【００１４】
以下に、本発明の一実施形態における検体検査チップについて、図面とともに詳細に説明する。
（実施の形態１）
図１において示されるように、本実施形態の検体検査チップ１は、検体を注入する注入口２と、この注入口２から注入された検体を保持する保持チャンバ３と、保持チャンバ３から流入される検体が分岐して流れる複数の流路４と、この複数の流路４を介してそれぞれ流入される検体と、内部に保持された試薬とを反応させる複数の測定チャンバ５と、
複数の流路４に設けた閉止部６に充填された温度溶融剤（例えば、ワックス等）と、を備えている。さらに図２（ａ）において示されるように、閉止部６には、流路４と交差する方向に溜まり部７を設けている。
【００１５】
なお、この溜まり部７の形状としては、図２（ａ）の平面図のように矩形（実際の立体形状としては円柱）としているが、図２（ｂ）の平面図のように楕円形状であっても、図２（ｃ）のように矩形に対して角が丸みを有する形状であっても、図２（ｄ）の平面図のように六角形の形状であってもよい。いずれの形状においても共通して、流路４と交差する方向に溜まり部７が、流路４の延長上以外にも形成されており、充填された温度溶融剤が溜まり部７に引っかかる形状である。
【００１６】
上述のように本実施の形態においては、閉止部６には、流路４と交差する方向に溜まり部７を設けたので、この検体検査チップ１に遠心力が加わったとしても、温度溶融剤は流路４と交差する方向に設けた溜まり部７に、いわゆる引っかかった状態となる。その結果として、温度溶融剤が不用意に測定チャンバ５に流れ込むことは無くなり、これにより、各測定チャンバ５に流入する検体の流入タイミングがほぼ一定となり、結論として、この
検体検査チップ１を用いる検査を安定化させることができるのである。
【００１７】
また、図２（ａ）において示されるように、閉止部６における流路の軸心部分には、分岐部８を設けている。この分岐部８は、閉止部６の内面から流路の軸心に向けて突出する突起によって形成されている。
【００１８】
上述のように本実施の形態においては、閉止部６における流路４の軸心部分に分岐部８を設けることにより、温度溶融剤が加熱によって溶融し、検体が測定チャンバ５に流れ込む際に、その検体の流れ込みを妨げるように働くため、さらに温度溶融剤が不用意に測定チャンバ５に流れ込む可能性を下げることができ、この検体検査チップ１を用いる検査をさらに安定化させることができるのである。
【００１９】
次に、図３を用いて、本実施の形態における検体検査チップ１を用いる生体化学分析装置９について説明を行う。この生体化学分析装置２は、病院や診療所等において、生体を検出して分析するための装置である。具体的には、検体が店点着された検体検査チップ１を、生体化学分析装置９に設けられた投入口１０からセットし、検出対象物の検出を行う。生体化学分析装置９の前面には、測定結果を表示できるタッチパネル１１が設けられている。ユーザは、タッチパネル１１を用いて測定開始、中止等の操作を行う。
【産業上の利用可能性】
【００２０】
上述のように、本発明における検体検査チップは、その検査を安定化させることができるものであるため、特に、血液のような検体が注入された状態で検査装置内に配置され、検体から生体情報を検出するような生体化学分析装置において有用である。
【符号の説明】
【００２１】
１  検体検査チップ
２  注入口
３  保持チャンバ
４  流路
５  測定チャンバ
６  閉止部
７  溜まり部
８  分岐部
９  生体化学分析装置
１０  投入口
１１  タッチパネル
【図１】
2014092422.tif 000003
【図２】
2014092422.tif 000004
【図３】
2014092422.tif 000005